(57)【要約】【課題】本発明の第１の目的は、貸し出すメダルを指定された数に分割して払い出すことである。本発明の第２の目的は、貸し出すメダルを指定された数の容器に分割して払い出すことである。本発明の第３の目的は、貸し出す多量のメダルを指定された数に分割して払い出すと共に容器からメダルが溢れないようにすることである。【解決手段】受入金額と分割指示ユニットの分割指示数に基づいて分割払い出しメダル数を出力する払出数設定ユニット、払出信号に基づいてメダルを払い出すメダル払出ユニット、前記メダル払出ユニットから払い出されたメダル数を検出する払出数検出ユニット、前記払出数設定ユニットによって設定された払出数及び前記払出数検出ユニットの検出メダル数に基づいてメダル払出ユニットを停止する停止ユニット、を備えるメダル貸出装置である。【選択図】図５
2004329562.tif 000002
【特許請求の範囲】
【請求項１】
受入金額と分割指示ユニット（２４、５２）の分割指示数に基づいて分割払い出しメダル数を出力する払出数設定ユニット（５６、７８）、払出信号に基づいてメダルを払い出すメダル払出ユニット（１８）、前記メダル払出ユニット（１８）から払い出されたメダル数を検出する払出数検出ユニット（３８）、前記払出数設定ユニット（５６、７８）によって設定された払出数及び前記払出数検出ユニット（３８）の検出メダル数に基づいてメダル払出ユニット（１８）を停止する停止ユニット（５８）、を備えるメダル貸出装置。
【請求項２】
前記分割払出数設定ユニット（７８）は、受け入れた金額に基づいてメダルの総払出数を設定する総払出数設定ユニット（７２）、前記分割指示ユニット（２４）の分割指示数に基づいて分割払出のメダル数を出力し、前記払出数検出ユニット（３８）が前記分割払出のメダル数を検出したとき前記メダル払出ユニット（１８）を停止するための信号を出力する分割ユニット（５７）を備える請求項１に請求したメダル貸出装置。
【請求項３】
さらに、前記メダル払出ユニット（１８）からのメダル払出に先立ってメダルを収納する容器（３６）を一個ずつ払出部（２０）に供給する容器供給ユニット（６０）、
を備える請求項１に請求したメダル貸出装置。
【請求項４】
さらに、前記メダル払出検出ユニット（３８）の所定のメダル数検出に基づいて前記払出部（２０）の容器（３６）の除去信号を出力する容器除去信号出力ユニット（Ｓ３６）、前記払出部（２０）の容器（３６）の有無を検出する容器検出ユニット（６６）、
前記容器検出ユニット（６６）の容器無し信号に基づいて前記容器供給ユニット（６０）及び前記メダル払出ユニット（１８）を起動する残量払出ユニット（８０）、
を有する請求項３に請求したメダル貸出装置。
【請求項５】
さらに、表示ユニット（２２）を備え、前記容器除去信号に基づいて前記表示ユニット（２２）に容器（３６）の取り出しを促す表示を行う請求項４に請求したメダル貸出装置。
【請求項６】
前記払出数検出ユニット（３８）が前記メダル払出ユニット（１８）からの払い出し数をカウントするカウンタである請求項１のメダル貸出装置。
【発明の詳細な説明】
【０００１】
【発明が属する技術分野】
本発明は、受け入れた価値情報に基づいて所定数のメダルを貸し出すメダル貸出装置に関する。
特に、受け入れた価値情報に基づいて所定数のメダルを、指定された数に分割して貸し出すメダル貸出装置に関する。
さらに詳しくは、受け入れた価値情報に基づいて所定数のメダルを、指定された数に分割して払い出すメダルを容器に収納して貸し出すメダル貸出装置に関する。
なお、本明細書で使用する「メダル」は、ゲーム機用のメダル、トークン、代用コイン等の遊技媒体の総称である。
以下、ゲーム機のメダル貸出装置を例として説明する。
【０００２】
【従来の技術】
メダルの収納容器を自動的に払出部に供給し、その容器に投入金額に対応する所定数のメダルを自動的に払い出して貸し出す装置が知られている（例えば、特許文献１参照。）。
【０００３】
【特許文献１】
特許第２８６０８１８号
【０００４】
【発明が解決しようとする課題】
従来、一般的に使用されているメダルの容器は、メダル約３００枚で満杯になる。
一方、メダル単価は営業的に設定されるため、投入金額に対する払い出しメダル数は一義的に決定される。
例えば、投入金額千円に対してメダル１００枚、二千円に対し２１０枚、３千円に対し３６０枚、五千円に対し６５０枚に設定される。
【０００５】
利用者が３人でゲーム場に入った場合、一人ずつ千円分のメダルを購入するよりも、３千円分まとめ買いした方が６０枚プラスして払い出される。
そのため、まとめ買いした後、手作業で１２０枚ずつカウントしたり、目分量で分割することが行われている。
手作業でカウントする場合、面倒であり、また、目分量の場合、分配メダル数のバラツキが発生し、不公平である。
そのため、払い出されるメダルを均等に分配して貸し出すメダル貸機の出現が強く望まれている。
さらに、払い出すメダル数が多くなった場合、容器から溢れることがあるため、メダルが多量になった場合においても、容器から溢れることなくメダルを払い出すことができるメダル貸機の出現が望まれている。
【０００６】
本発明は、この要望に基づいてなされたものである。
本発明の第１の目的は、貸し出す多量のメダルを指定された数に分割して払い出すことである。
本発明の第２の目的は、貸し出す多量のメダルを指定された数の容器に分割して払い出すことである。
本発明の第３の目的は、貸し出す多量のメダルを指定された数に分割して払い出すと共に容器からメダルが溢れないようにすることである。
【０００７】
【課題を解決するための手段】
この目的を達成するため、請求項１のメダル貸出装置は以下のように構成されている。
受入金額と分割指示ユニットの分割指示数に基づいて分割払い出しメダル数を出力する払出数設定ユニット、払出信号に基づいてメダルを払い出すメダル払出ユニット、前記メダル払出ユニットから払い出されたメダル数を検出する払出数検出ユニット、前記払出数設定ユニットによって設定された払出数及び前記払出数検出ユニットの検出メダル数に基づいてメダル払出ユニットを停止する停止ユニット、を備えるメダル貸出装置である。
【０００８】
この構成において、受け入れた紙幣等の金額に基づいてメダルの総払出数が総払出数設定ユニットから出力される。
一方、利用者の選択に基づいて分割指示ユニットから分割指令が出力される。
払出数設定ユニットは、前記メダル総払出数及び前記分割指令に基づいて、分割払出数を設定する。
払出信号に基づいてメダル払出ユニットが作動され、メダルを払い出す。
【０００９】
このメダルは検出ユニットによって検出され、払出数が前記分割払出数になった場合、メダル払出ユニットが停止され、メダル払出が中断される。
払い出されたメダルが取り出された後、手動或いは自動的に払出信号が出力され、次の分割払出分のメダルが前述同様にメダル払出ユニットから払い出される。
この工程が繰り返されて所定数に均等分割してメダルが払い出される。
結果として、総払出数を所定数に分割したメダルの払出が自動的に行われるので、手作業でカウントすることもなく、また、均等に分割されるので、利用者にとって便利なメダル貸出装置である。
【００１０】
請求項２に記載した発明は、請求項１の発明において、前記分割払出数設定ユニットは、受け入れた金額に基づいてメダルの総払出数を設定する総払出数設定ユニット、前記分割指示ユニットの分割指示数に基づいて分割して払い出すメダル数を出力し、前記払出数検出ユニットが前記分割払出数のメダル数を検出したとき前記メダル払出ユニットを停止するための信号を出力する分割ユニット、を含んでいることが好ましい。
【００１１】
この構成において、受け入れた金額に基づいて総払出数設定ユニットがメダルの総払出数を出力し、分割指示ユニットが分割指示数を出力する。
分割払出数設定ユニットは、これらの出力に基づいて１回の払出時に払い出す分割払出メダル数を出力する。
分割ユニットは、払出数検出ユニットからの払出数と分割払出メダル数とが一致したとき、停止ユニットを作動させ、メダル払出ユニットを停止する。
このように、受け入れた金額に基づいて総払い出し数がその都度設定されるので、メダルの換算率が変更になった場合、何ら変更することなく対処することができる。
【００１２】
請求項３の発明は、請求項１の発明において、さらに、前記メダル払出ユニットからのメダル払出に先立ってメダルを収納する容器を一個ずつ払出部に供給する容器供給ユニットを備えている。
この構成において、メダルの払出に先立ってメダル払出部にメダル収納容器が自動的に供給される。
したがって、メダル払出ユニットから払い出されたメダルは容器に収納されるので、容器を払出部から取り出せばよいので、利用者の利便性が高い。
【００１３】
請求項４の発明は、請求項３の発明において、さらに、前記メダル払出検知ユニットの所定のメダル数検出に基づいて前記払出部の容器の除去信号を出力する容器除去信号出力ユニット、前記払出部の容器の有無を検出する容器検出ユニット、前記容器検出ユニットの容器無し信号に基づいて前記容器供給ユニット及び前記メダル払出ユニットを起動する残量払出ユニットを備えている。
【００１４】
この構成において、メダル払出検知ユニットが分割出しのメダル数を検知した場合、容器除去信号出力ユニットが除去信号を出力する。
この除去信号に基づいて表示や音声等視覚、聴覚に訴える手段によって利用者に払出部の容器の取り出しを促す。
払出部の容器が利用者によって取り出された場合、容器検出ユニットが容器無しを検出して容器無し信号を出力する。
この容器無し信号に基づいて残量払出ユニットが容器供給ユニットを作動し、自動的に容器を１個払出部に供給する。
この後、残量払出ユニットが払出信号を出力してメダル払出ユニットを起動させ、メダル残量の払出を行う。
したがって、メダル容器の取り出しに基づいて自動的に容器が供給され、さらにメダル払出が行われるので利用者にとって利便性が高い。
さらに、払出のメダル数を容器から溢れない数にセットしておくことにより、容器からメダルを溢れさせることがないので、さらに利用者の利便性が高まる。
【００１５】
請求項５の発明は、請求項４の発明において、さらに表示ユニットを備え、前記容器除去信号に基づいて前記表示ユニットに容器の取り出しを促す表示を行うことを特徴とする。
この構成において、容器に払い出されたメダルが所定量になった場合、その満杯容器の取り出しを促す表示を行うので容器取り出しが確実に行われる。
また、表示装置で促すので安価に構成できる。
【００１６】
請求項６の発明は、請求項１の発明において、前記払い出し数検出ユニットが前記メダル払出ユニットからの払い出し数をカウントするカウンタである。
この構成において、払出数検出ユニットがカウンタであるので、容器の容量が変更された場合、その払い出数の設定を変更するのみで対処ができ、極めて容易に対処できる。
また、その変更機能は、ソフトウエアによって構成できるので、安価である。
【００１７】
【発明の実施の形態】
図１は、第１実施例のメダル貸出装置の概要図である。
図２は、第１実施例のブロック図である。
図３は、第１実施例の作動説明用のフローチャートである。
図４は、第２実施例のメダル貸出装置の概要図である。
図５は、第２実施例のブロック図である。
図６は、第２実施例の作動説明用のフローチャートである。
【００１８】
図１において、メダル貸出装置１０は、その箱型の筐体１２内に紙幣識別受入ユニット１４、硬貨識別受入ユニット１６、メダル払出ユニット１８、メダルの払出部２０、表示ユニット２２、操作ボード２４および制御ユニット２６が配置されている。
紙幣識別受入ユニット１４は、受入口２８に挿入された紙幣の真偽を判別し、偽紙幣の場合返却し、真紙幣の場合、紙幣の金種を制御ユニット２６に出力すると共に収納部（図示せず）に収納する。
硬貨識別受入ユニット１６は、投入口３０に投入された硬貨の真偽を判別し、偽硬貨の場合返却し、真硬貨の場合硬貨の金種を制御ユニット２６に出力すると共に収納部（図示せず）に収納する。
【００１９】
価値媒体の受入ユニットとして、金額情報を記憶している磁気カードやＩＣカードの読み込み書き込みユニットを用いることができる。
また、前記価値媒体の受け入れユニットを適宜組み合わせて装着してもよい。
メダル払出ユニット１８は、払出信号に基づいてメダルを一つずつ区分けして払い出す機能を有している。
メダル払出ユニット１８は、例えば実用新案登録第２５３８５３１号に開示された所謂コインホッパーが使用される。
【００２０】
このコインホッパーは、払い出したメダルのカウントのためのセンサを有しているので好ましい。
また、メダルの払出を迅速に行うため、メダル払出ユニットを複数配置することができる。
払出部２０は、ほぼボックス形の凹部であり、メダル払出ユニット１８から払い出されたメダルがシュート３２を介して供給される。
すなわち、下面、左右側面及び裏面が平板状の壁により囲われ、前面と上面が解放されたボックス３４であり、シュート３２は右側壁の上部に附設されている。
【００２１】
シュート３２から落下するメダルは、ボックス３４の底壁上に堆積し、また、容器３６が払出部に置かれた場合、その容器３６内に供給される。
容器３６は、利用者が自由に使用できるようメダル貸出装置１０の側に積み重ねられている。
しかし、メダル払出ユニット１８からダイレクトに払出部２０の容器３６内に投出してもよい。
メダル払出検出ユニット３８は、払出部２０に払い出されたメダル数を検出する機能を有している。
【００２２】
実施例のメダル払出検出ユニット３８は、メダル払出ユニット１８からメダルシュート３２へ一つずつ払い出されるメダルを光学的に検出してカウンタによってカウントする間接方式である。
このカウントは、メダル払出ユニット１８が払い出されたメダルに基づいて信号を出力するセンサを備えている場合、そのセンサからの信号をカウントすることによって行ってもよい。
【００２３】
表示ユニット２２は、利用者に対する各種メッセージを表示する機能を有し、液晶表示ユニット、ＣＲＴ、蛍光表示管、プラズマディスプレイ等のドット表示ユニット等公知の表示ユニットで構成される。
操作ボード２４は、利用者が価値媒体からメダルに両替する際、各種処理を開始させるゲイン機能を有している。
例えば、紙幣識別受入ユニット１４および硬貨識別受入ユニット１６に投入した貨幣によって両替を行うかどうか決定すると共に分割出しを行うか否かの決定ボタンを備えている。
【００２４】
すなわち、ボタンスイッチ４０は、分割出しを行わない一回出し選択ボタンである。
ボタンスイッチ４２は、二分割出しを行う分割選択ボタンである。
ボタンスイッチ４３は、両替する金額を決定するための金額決定ボタンであり、二千円、五千円及び一万円紙幣を紙幣識別受入ユニット１４が受入可能である場合、両替する金額を決定する機能を有する。
したがって、金額決定ボタン４３は、両替金額に応じた複数にすることができる。
【００２５】
例えば、五千円紙幣が紙幣識別受入ユニット１４に投入され、二千円の金額決定ボタンが押された場合、二千円に相当するメダルが払い出され、図示しない紙幣払出ユニットから三千円の釣り札が払い出される。
ボタンスイッチ４４は、残量の払出信号を出力するための残量払出ボタンである。
ボタンスイッチ４０、４２、４３及び４４は、操作手順の理解を助けるため、発光体を内蔵し、操作が必要な場合、点灯するタイプがよい。
【００２６】
しかし、操作ボード２４は、キーボードやタッチパネル等を用いることができる。
容器３６は、メダル貸出装置１０の側に積み重ねておき、必要に応じ利用者が払出部２０にセットする。
制御ユニット２６は、紙幣識別受入ユニット１４、硬貨識別受入識別ユニット１６、操作ボード２４及びメダル払出検出ユニット３８から信号を入力して所定の演算を行い、メダル払出ユニット１８及び表示ユニット２２に所定の処理を行わせる。
【００２７】
制御ユニット２６は、マイクロプロセッサである。
次に、制御ユニット２６を図２のブロック図を参照して説明する。
制御ユニット２６は、少なくとも払出指示ユニット５０、払出数設定ユニット５２及び分割ユニット５７並びに停止ユニット５８を含んでいる。
払出指示ユニット５０は、一回出し選択ボタン４０及び分割選択ボタン４２を含んでいる。
【００２８】
すなわち、払出指示ユニット５０は、所定数のメダルを一回で払出部２０に払い出すか２分割して払い出すかを選択する機能を有する。
分割選択ボタン４２は、分割指示ユニットである。
払出数設定ユニット５２は、払出指示ユニット５０の選択に基づいて受入金額に対する払出メダル数を設定する機能を有する。
本実施例においては、一回出し選択ボタン４０が押された場合、千円の受入に対して１００枚のメダル払出信号を出力する一回出し数設定ユニット５４と、分割選択ボタン４２が押された場合、二千の受入を判別して千円に対し１１０枚のメダル払出信号を出力する分割払出数設定ユニット５６を含んでいる。
【００２９】
本実施例は、千円又は二千円に対するメダル貸出に限定されているため、総払出数設定ユニットは分割払出数設定ユニット５６である。
換言すると、総払出数は、分割払出数設定ユニット５６の二倍に一義的に決定される。
分割ユニット５７は、払出数検出ユニット３８からの払出数信号と設定ユニット５４又は５６からの設定数が一致した場合、停止ユニット５８に停止信号を出力する。
払出数検出ユニット３８は、この停止信号によりリセットされる。
停止ユニット５８は、前記停止信号を受けた場合、メダル払出ユニット１８を停止する。
【００３０】
また、前記停止信号に基づいて表示ユニット２２は、払出部２０からのメダルの取り出しを促す表示を行う。
また、残量払出ボタン４４が押された場合、メダル払出ユニット１８が起動され、メダルの払出を再開する。
メダル払出ユニット１８は、これらユニットの出力に基づいてメダルの払出を行う。
【００３１】
次に図３のフローチャートを参照して第１実施例の作動を説明する。
紙幣受入ユニット１４又は硬貨受入ユニット１６の金種判別信号に基づいて、受入口２８又は投入口３０に貨幣が投入されたことをステップＳ１において判別した場合、ステップＳ２に進む。
ステップＳ２において、表示ユニット２２に受入金額を表示すると共に、選択可能な一回出し選択ボタン４０及び分割選択ボタン４２の発光体が点灯され、ステップＳ３に進む。
ステップＳ３において一回出し選択ボタン４０が押されない場合、ステップＳ４に進む。
【００３２】
ステップＳ４において、分割選択ボタン４２が押されない場合、ステップＳ３に戻る。
受入口２８又は投入口３０に千円が投入され、かつ、ステップＳ３において一回出し選択ボタン４０が押された場合、前記点灯が終了するとともに、ステップＳ５進む。
ステップＳ５において金額決定ボタン４３が点灯され、ステップＳ６に進む。
【００３３】
ステップＳ６において金額決定ボタン４３が押されたか判定し、押された場合、ステップＳ７に進む。
ステップＳ７において、一回出し数設定ユニット５４からメダル払出ユニット１８と分割ユニット５７に指示信号が出力される（金額決定ボタン４３の点灯も終了）。
この指示信号によりステップＳ８において、分割ユニット５７が受け入れた金額千円に対応して１００に設定されると共にメダル払出ユニット１８が起動し、メダルの払出を開始する。
【００３４】
払出されたメダルは、シュート３２に落下した後、シュート３２上を滑って払出部２０に払い出される。
メダル払出検出ユニット３８はシュート３２に落下するメダルを検知し、ステップＳ９においてカウントアップする。
分割ユニット５７はステップＳ１０において、メダル払出検出ユニット３８のカウント値と一回出し設定ユニット５４の設定数と比較し、同じになった場合ステップＳ１１に進む。
【００３５】
ステップＳ１１においてメダル払出ユニット１８が停止され、払出処理が終了する。
二千円が紙幣識別受入ユニット１４に二千円が投入され、分割選択ボタン４２が押されたケースを説明する。
分割選択ボタン４２が押された場合、ステップＳ４からステップＳ１２に進む。
ステップＳ１２に進む途中において、金額決定ボタン４３が点灯される。
【００３６】
ステップＳ１２において、金額決定ボタン４３が押された場合、ステップＳ１３に進む。
ステップＳ１３において、分割払出数設定ユニット５６が払い出し数１１０を出力し、ステップＳ１４に進む。
ステップＳ１４において、メダル払出ユニット１８が起動され、分割ユニット５７に払い出し数１１０が設定される。
メダル払出ユニット１８から払い出されたメダルはステップＳ１５において前述のようにカウントされ、ステップＳ１６において設定数１１０と比較される。
【００３７】
カウント数が１１０になった場合、ステップＳ１７に進み、メダル払出ユニット１８を停止する。
前記メダル払出停止と共に、表示ユニット２２に払出部２０からのメダルの取り出した後残量払出ボタン４４のプッシュを促す、表示を行う。
この後、ステップＳ１８において払出が一回目かどうか判別し、一回目の場合、ステップＳ１９に進む。
ステップＳ１９に進む途中で残量払出ボタン４４が点灯される。
一回目でない場合、換言すれば、二回目の場合、処理を終了する。
【００３８】
一回目の場合、利用者は、払出部２０からメダルを取りだし、残量払出ボタン４４を押す。
ステップＳ１９において、残量払出ボタン４４が押されたかどうか判別する。
残量払出ボタン４４が押された場合、ステップＳ１４に戻り、前述同様ステップＳ１７へ進み、メダルを払い出してメダル払出ユニット１８を停止する。
次にステップＳ１８において１回目かどうか判定するが、二回目であるので処理を終了する。
第１実施例において、メダルの払出を二分割する例を説明したが、三分割以上にすることができる。
この場合、当然ながら分割ボタンを分割数に対応して設ける必要がある。
【００３９】
次にメダル容器の自動補給ユニットを備えた第２実施例を説明する。
第１実施例と同一部には同一符号を付し、説明を省略する。
容器供給ユニット６０は、供給信号に基づいて、メダルを収納するバケット形のメダル収納容器３６を自動的に一つずつ払出部２０に供給する機能を有している。
このため、容器３６が積み重ねられた容器保留部６２と、その積み重ねられた最下の容器３６を区分けし、払出部２０へ供給する分離ユニット６４とを有する。
【００４０】
容器供給ユニット６０は、払出部２０の上方に配置されており、分離ユニット６４によって落下させられた容器３６は、垂直落下し、ボックス３４の底で受け止められる。
したがって、容器３６が所定の位置に落下し、かつ、保持されるよう、案内装置や衝撃緩和装置を附設することができる。
分離ユニット６４は、例えば前記特許第２８６０８１８号に開示された装置を用いるのがよい。
ボックス３４の側壁に、払出部２０における容器３６の有無を検出する容器検出ユニット６６が取り付けられている。
【００４１】
この容器検出ユニット６６は、容器３６の有無を検出する機能を有していれば、光電式、機械式、音波式等何れの方式でもよい。
本実施例の操作ボード２４には、選択ボタン４０及び４２に加え、３分割ボタン６５と４分割ボタン６７が配置されている。
分割は、五分割以上にすることができる。
制御ユニット６８は、第１実施例同様マイクロコンピュータであり、図５に示すブロック回路の機能が組み込まれている。
【００４２】
次に図５に示すブロック回路を説明する。
受入金額判別ユニット７０は、紙幣識別受入ユニット１４及び硬貨識別受入ユニット１６で受け入れた貨幣の価値を判別し、総受入金額を総払出数設定ユニット７２に出力する。
総払出数設定ユニット７２は、換算率設定ユニット７４に設定された換算率及びボーナス設定ユニット７６に設定された金額毎の付加枚数に基づいて受入金額に対する総払出メダル数を分割払出設定ユニット７８に出力する。
なお、ボーナス設定ユニット７６は、設けないことができる。
分割払出設定ユニット７８は、分割指示ユニットである操作パネル２４上の選択されたボタンに応じた分割数を分割払出数設定ユニット７８に出力する。
【００４３】
換言すれば、選択ボタン４０が押された場合、分割数１、選択ボタン４２が押された場合分割数２、選択ボタン６４が押された場合分割数３、選択ボタン６７が押された場合分割数４の信号が出力される。
分割払出数設定ユニット７８は、前記分割数信号を受けて、総払出数設定ユニット７２からの総払出数を除算し、分割ユニット５７へ出力する。
総払出数を分割数で除算した値が整数にならない場合、繰り上げ或いは繰り下げ処理をして分割払出数が整数になるようにする。
【００４４】
前記選択ボタンの操作に基づく分割数の出力に基づいて、払出指示ユニット５２は容器供給ユニット６０の分離ユニット６４に起動信号を出力する。
容器３６が払出部２０に供給され、容器検出ユニット６６からの検出信号に基づいて払出指示ユニット５２はメダル払出ユニット１８に起動信号を出力する。
払出指示ユニット５２は、容器検出ユニット６６の容器無し出力に基づいて分離ユニット６４及びメダル払出ユニット１８に起動信号を出力する。
【００４５】
残量払出ユニット８０は、容器検出ユニット６６から払出部２０における容器３６の無し信号を受信した場合、最初に容器供給ユニット６０すなわち分離ユニット６４を作動させて容器３６を払出部２０に一個落下させる。
次いで払出指示ユニット５２を介してメダル払出ユニット１８を作動させ、払出残のメダルを払出部２０の容器３６に払い出す。
総払出数設定ユニット７２、分割払出数設定ユニット７８、分割ユニット５７、停止ユニット５８及び残量払出ユニット８０が制御ユニット６８であり、ソフトウエアで構成されている。
【００４６】
次に第２実施例の作用を図６のフローチャートを参照して説明する。
稼働に先立ち、換算率設定ユニットに、換算率０．１、換言すれば千円に対しメダル１００枚、ボーナス設定ユニット７６に、二千円に対しメダル３０枚、三千円に対しメダル６０枚、四千円に対しメダル１２０枚及び五千円に対しメダル２００枚のボーナスを設定する。
換言すれば、千円投入した場合メダル総払出数は１００枚、二千円投入した場合２３０枚、三千円投入した場合３６０枚、四千円投入した場合５２０枚、五千円投入した場合７００枚のメダルが払い出される。
また、容器３６のフル値が３００枚に設定される。
【００４７】
メダルへの両替に先だって、紙幣識別受入ユニット１４および、または硬貨識別受入ユニット１６に貨幣が投入され、ステップＳ２１において紙幣受入を検知した場合、ステップＳ２２に進み、受入金額を表示ユニット２２に表示すると共に選択可能な選択ボタン内の発光体を発光する。
例えば、一万円投入した場合、表示ユニット２２に一万円が表示され、かつ、選択ボタン４０、４２、６５及び６７の発光体が発光される。
利用者は、選択ボタン４０、４２、６５及び６７のうち購入希望の選択ボタンを押す。
例えば、三分割の選択ボタン６５を押す。
ステップＳ２３において、選択ボタン６５の選択を判別した場合、ステップＳ２４に進み、選択されたボタン６４のみ点灯を継続し、他の発光体を消灯する。
次にステップＳ２５において、金額決定ボタン４３が押されたか判定する。
【００４８】
例えば、三千円の金額ボタン４３が押された場合、受入金額判別ユニット７０は金額信号を総払出設定ユニット７２に出力する。
なお、つり札七千円は、図示しない払出ユニットから払い出される。
次にステップＳ２６において、総払出数設定ユニット７２は３６０枚の払出信号を分割払出数設定ユニット７８に出力する。
選択ボタン６５が押された場合、換言すれば、総払出枚数を三分割する場合、ステップＳ２７において、分割払出数設定ユニット７８は３６０を３で除して一分割分の払出枚数を１２０に設定し、分割ユニット５７に出力する。
【００４９】
分割ユニット５７への出力に基づいて、払出指示ユニット５２が容器供給ユニット６０に容器３６の供給信号を出力する。
この供給信号に基づいてステップＳ２８において分離ユニット６４が作動され、容器保留部６２の最下の容器３６を払出部２０に供給する。
すなわち、最下の容器３６のみが分離ユニット６４によって落下されるので、落下した容器３６は、図示しないガイド装置によって案内されて払出部２０の所定位置に供給される。
【００５０】
次にステップＳ２９に進み、容器検出ユニット６６からの容器３６の存在信号を判定する。
容器存在信号が無い場合、ステップＳ３０に進み、分離ユニット６４の作動から所定時間経過したか判断する。
ステップＳ３０において、所定時間経過した場合、換言すれば分離ユニット６４が作動した後所定時間経過しても容器３６が払出部２０に存在しない場合、表示ユニット２２にエラー表示をし、全ての処理を中断する異常処理を行って待機状態になる。
【００５１】
ステップＳ２９において容器３６が存在する場合、ステップＳ３１に進み払出指示ユニット５２がメダル払出ユニット１８を作動させる。
これにより、メダル払出ユニット１８は、メダルを一個ずつ区分けしてメダルシュート３２に払い出す。
【００５２】
メダルシュート３２に落下したメダルは、メダルシュート３２を滑落して払出部２０の容器３６内に落下する。
このメダルの払出と並行してメダル払出ユニット１８から払出されるメダルを払出数検出ユニット３８で検出して制御ユニット６８内のソフトカウンタでカウントし、容器３６へのメダル払出数を検出する。
【００５３】
次にステップＳ３２において、前記カウント値がフル値の３００と比較される。
メダル１２０枚の場合、当然３００以下であるので、ステップＳ３３に進む。
ステップＳ３３において、ステップＳ２７で設定された分割払出数１２０と比較される。設定数に満たない場合、ステップＳ３２に戻り、払出を継続する。
ステップＳ３３において、カウントが設定数の１２０と一致したとき、ステップＳ３４に進む。
【００５４】
ステップＳ３４において、メダル払出ユニット１８を停止し、一分割目の払出処理が終了する。
次にステップＳ３５において、ステップＳ２６で設定された総払出枚数と比較され、総払出枚数よりも少ない場合、ステップＳ３６に進む。
ステップＳ３６において、表示ユニット２２に払出部２０から容器３６の取り出しを促す表示及び、又は音を発する。
【００５５】
容器除去信号出力ユニットは、このステップＳ３６である。
利用者が、払出部２０から容器３６を取り出した場合、容器検出ユニット６６は容器無し信号を出力する。
ステップＳ３７において、容器無し信号を判定した場合、ステップＳ３８に進む。
容器無し信号を受信しない場合、ステップＳ３９に進み、所定時間計時する。
この所定時間の間に前記容器無し信号が出力されない場合、前記異常処理を行う。
【００５６】
ステップＳ３７において容器無し信号を判定した場合、ステップＳ３８において表示部２２の容器取り出し表示を終了し、ステップＳ２８に戻る。
ステップＳ２８において再び、分離ユニット６４を作動させて、容器３６を払出部２０に供給した後、ステップＳ２９において容器の存在を判別した後、ステップＳ３１でメダル払出ユニット１８を作動させてメダルを払出し、ステップＳ３２でフル枚数と比較した後ステップＳ３３において分割払出枚数と比較する。
二分割目であるため、分割払出枚数よりも少ないのでステップＳ３２に戻り、メダル払出を継続する。
【００５７】
ステップＳ３３において分割払出数に達した場合、前述のようにステップＳ３４に進み、メダル払出ユニット１８を停止した後、ステップＳ３５に進み、総払出枚数との比較を行う。
この場合、未だ総払出枚数に達しないのでステップＳ３６に進み、容器３６の取り出しを促す表示等を行う。
ステップＳ３７で容器検出ユニット６６からの容器なし信号に基づいてステップＳ３８に進んで容器取り出し表示を終了した後、再々度ステップＳ２８に戻り、分離ユニット６４を作動させて払出部２０に容器３６を供給する。
その後前述のようにメダル払出ユニット１８からメダル払出をおこなう。
ステップＳ３５おいて総払出数３６０に一致した場合、メダル払出を終了する。
【００５８】
次に、３０００円で一回出しの選択スイッチ４０が押されたケースを説明する。
前記説明と同様に、ステップＳ２６において、払出枚数が３６０枚に設定される。
さらに、ステップＳ２７において、分割数１で除した分割払出数が設定される。
したがって、総払出枚数と分割払出枚数とは同一である。
そして前述同様ステップＳ２８で分離ユニット６４が作動されて容器３６が払出部２０に供給された後、ステップＳ３１でメダル払出ユニット１８が作動されてメダルが容器３６に払い出される。
【００５９】
ステップＳ３２において、検出ユニット３８のカウント値がフル値である３００になった場合、ステップＳ４０に進む。
ステップＳ４０において、総払出枚数３６０からフル枚数の３００を減算して残払出枚数６０を分割払出数に設定する。
この後、ステップＳ４１においてメダル払出ユニット１８を停止し、ステップＳ３６において容器取り出し表示を行い、次いでステップＳ３７で容器無し信号が出力された場合、ステップＳ３８でカップ取り出し表示を終了してステップＳ２８に戻る。
【００６０】
そして再び分離ユニット６４を作動させて容器３６を払出部２０に供給した後メダル払出ユニット１８を作動させてメダルを払い出す。
次にステップＳ３３において、払出数が６０になった場合、ステップＳ３４に進んでメダル払出ユニット１８を停止する。
これにより、払出されたメダルは、受入許容限度である３００枚と６０枚に自動的に分割されて容器３６に払い出される。
次にステップＳ３５において総払出枚数と払出数が同一であるので払出処理を終了する。
【００６１】
４分割の選択ボタン６７が押された場合、前述の３分割と同様に４分割されて容器３６にメダルの払出が行われる。
また、五千円が投入された場合、総払出枚数は７２０枚であり、二分割の選択ボタンが押された場合、３６０枚ずつ分割払出が行われる。
この場合、払出数検出ユニット３８のカウント値が３００になった場合、フル枚数であるため、前述同様一回目の払出が中断され、次に補給された容器３６に残りの６０枚が払い出される。
次に供給された容器３６に二回目の３００枚が払い出された後、新たに供給された容器３６に残りの６０枚が払い出されて払出を終了する。
【００６２】
上記実施例のように、払出数検出ユニット３８をメダル払出ユニット１８から払い出されるメダルのカウンタで構成した場合、容器３６のフル値をデジタルできめ細かに設定できるので、いたずらに容器の取り出し処理を増加することがないと共に毎回同一数のメダルを容器に払い出すことができる。
【００６３】
【発明の効果】
本発明は、総払出数を所定数に分割したメダルの払出が自動的に行われるので、手作業でカウントすることもなく、また、均等に分割されるので、利用者にとって便利なメダル貸出装置である。
また、受け入れた金額に基づいて総払い出し数がその都度設定されるので、メダルの換算率が変更になった場合などの対応が容易である。
さらに、メダル払出ユニットから払い出されたメダルは容器に収納されるので、容器を払出部から取り出せばよいので、利用者の利便性が高い。
【００６４】
さらにまた、メダル容器の取り出しに基づいて自動的に容器が供給され、残りのメダル払出が行われるので利用者にとってより利便性が高い。
さらに、容器に払い出されたメダルが所定量になった場合、その満杯容器の取り出しを促す表示を行うので容器取り出しが確実に行われ、かつ、表示ユニットで促すので安価に構成できる。
また、払出数検出ユニットがカウンタであるので、容器の容量が変更された場合、その払い出数の設定を変更するのみでメダルが容器から溢れないよう変更ができ、極めて容易に変更できる。
さらに、その変更はソフトウエアによって構成できるので、安価である。
【００６５】
【図面の簡単な説明】
【図１】図１は、第１実施例のメダル貸出装置の概要図である。
【図２】図２は、第１実施例のブロック図である。
【図３】図３は、第１実施例の作動説明用のフローチャートである。
【図４】図４は、第２実施例のメダル貸出装置の概要図である。
【図５】図５は、第２実施例のブロック図である。
【図６】図６は、第２実施例の作動説明用のフローチャートである。
【符号の説明】
１８  メダル払出ユニット
２０  払出部
２２  表示ユニット
２４、５２  分割指示ユニット
３６  容器
３８  払出数検出ユニット
５６、７８  払出数設定ユニット
５７  分割ユニット
５８  停止ユニット
６０  容器供給ユニット
６６  容器検出ユニット
７２  総払出数設定ユニット
８０  残量払出ユニット
Ｓ３６  容器除去信号出力ユニット
【図１】
2004329562.tif 000003
【図２】
2004329562.tif 000004
【図３】
2004329562.tif 000005
【図４】
2004329562.tif 000006
【図５】
2004329562.tif 000007
【図６】
2004329562.tif 000008